(57)【特許請求の範囲】
【請求項１】
筒状のカバー本体が、軸線に沿ったヒンジを介して開閉自在な第１のカバーと第２のカバーとで構成され、前記第1のカバーの開口端縁には係合孔が、前記第2のカバーの開口端縁には係合片が前記係合孔に対向する位置にそれぞれ設けられ、前記係合片を対向する前記係合孔に挿入して係合することで、前記第１のカバーと前記第２のカバーとを閉じて電線の補修部を覆う電線補修用カバーにおいて、
前記カバー本体の外周面に設けられ、凹状で全周にわたって延び、結束バンドを嵌め合わせて配置可能な配置溝と、
前記カバー本体の外周面に前記配置溝をまたぐように設けられ、前記結束バンドを移動自在に前記配置溝とで挟持する挟持部と、
を備え、
前記挟持部と前記配置溝との間に前記結束バンドのバンド部が挿入され、前記バンド部が前記配置溝に沿って前記カバー本体に巻き付けられ、前記結束バンドを締め付けて、前記カバー本体の口開きを防止する、
ことを特徴とする電線補修用カバー。
【発明の詳細な説明】
【技術分野】
【０００１】
この発明は、間接活線工具などで電線の補修部に取り付けられる電線補修用カバーに関する。
【背景技術】
【０００２】
従来、電線同士を接続するスリーブや、絶縁電線の被覆を剥ぎ取った箇所などの補修部には、絶縁性を確保するために、粘着性ポリエチレンテープを巻き付けたり絶縁電線補修用カバーを取り付けたりしている（例えば、特許文献１参照。）。この電線補修用カバーは、第１のカバーと第２のカバーとがヒンジを介して開閉自在なもので、第１のカバーの開口端縁に係合孔が複数設けられ、第２のカバーの開口端縁に係合片が複数設けられている。そして、スリーブなどの補修部を挟んだ状態で第１のカバーと第２のカバーとを閉じて、各係合片を対向する係合孔にそれぞれ係合するものである。
【先行技術文献】
【特許文献】
【０００３】
【特許文献１】特開２００２−１５９１１４号公報
【発明の概要】
【発明が解決しようとする課題】
【０００４】
ところで、間接活線工法で電線補修用カバーを取り付ける場合、長い棒状の間接活線工具を使用して各係合片を係合孔に係合しなければならず、作業者にとって負担が大きく、時間と労力とを要する。また、作業者の技量・技能によって作業時間に差が生じるばかりでなく、作業品質にも差が生じる場合がある。つまり、経験が浅く未熟な作業者が行った場合、係合片が係合孔に適正に係合しなかったり、一部の係合片のみが係合孔に係合したりする場合がある。
【０００５】
そして、このような係合不良があると、時間の経過に伴って第１のカバーと第２のカバーとが開いてしまう（口開きが生じる）おそれがある。また、このような口開きを防止するために、第１のカバーと第２のカバーとを閉じた上からテープを巻き付ける場合もあるが、間接活線工具を使用してテープを巻き付けるには、多大な時間と労力とを要する。
【０００６】
そこでこの発明は、口開きを確実に防止することが可能で取り扱いが容易な電線補修用カバーを提供することを目的とする。
【課題を解決するための手段】
【０００７】
上記課題を解決するために、請求項１の発明は、筒状のカバー本体が、軸線に沿ったヒンジを介して開閉自在な第１のカバーと第２のカバーとで構成され、前記第1のカバーの開口端縁には係合孔が、前記第2のカバーの開口端縁には係合片が前記係合孔に対向する位置にそれぞれ設けられ、前記係合片を対向する前記係合孔に挿入して係合することで、前記第１のカバーと前記第２のカバーとを閉じて電線の補修部を覆う電線補修用カバーにおいて、前記カバー本体の外周面に設けられ、凹状で全周にわたって延び、結束バンドを嵌め合わせて配置可能な配置溝と、前記カバー本体の外周面に前記配置溝をまたぐように設けられ、前記結束バンドを移動自在に前記配置溝とで挟持する挟持部と、を備え、前記挟持部と前記配置溝との間に前記結束バンドのバンド部が挿入され、前記バンド部が前記配置溝に沿って前記カバー本体に巻き付けられ、前記結束バンドを締め付けて、前記カバー本体の口開きを防止する、ことを特徴とする。
【０００８】
この発明によれば、電線の補修部を挟んだ状態で第１のカバーと第２のカバーとを閉じ、挟持部と配置溝との間から結束バンドを挿入して、結束バンドを配置溝に沿わせてカバー本体に巻き付け締め付ける。
【発明の効果】
【００１１】
請求項１の発明によれば、第1のカバーの係合孔に、第2のカバーに設けられた対向する係合片を挿入して係合することでカバー本体を閉じてから、挟持部と配置溝との間に結束バンドのバンド部が挿入され、バンド部が配置溝に沿ってカバー本体に巻き付けられて、結束バンドをカバー本体に締め付けるため、カバー本体の口開きを確実に防止することが可能となる。しかも、結束バンドが配置溝内に配置された状態で巻き付けられるため、結束バンドのずれが防止されてより確実に締め付けられ、口開きをより確実に防止することが可能となる。
【００１２】
また、結束バンドをカバー本体に巻き付けて締め付ければよいため、取り扱い（取付作業）が容易で、作業者の負担を軽減して作業時間を短縮することが可能となる。しかも、結束バンドが挟持部と配置溝とで挟持されて仮保持され、かつ、この状態で結束バンドが移動自在なため、結束バンドをカバー本体に容易に巻き付けることができ、より取り扱いが容易となる。
【００１４】
そして、請求項１の発明によれば、カバー本体の口開きを確実に防止可能な結果、カバー本体（電線補修用カバー）の脱落による電線の補修部の露出を防止して、安全性、信頼性を高めることが可能となる。また、カバー本体の脱落に起因する修繕作業を削減することができる。
【図面の簡単な説明】
【００１５】
【図１】この発明の実施の形態１に係る電線補修用カバーを示す正面図である。
【図２】図１の電電線補修用カバーを開いた内部を示す平面図である。
【図３】図１のＡ−Ａ断面図である。
【図４】図１のＢ−Ｂ断面図である。
【図５】この発明の実施の形態１に係る結束バンドを示す平面図である。
【図６】この発明の実施の形態２に係る電線補修用カバーを示す正面図である。
【図７】図６のＣ−Ｃ断面図である。
【図８】図７のＤ部拡大図である。
【発明を実施するための形態】
【００１６】
以下、この発明を図示の実施の形態に基づいて説明する。
【００１７】
（実施の形態１）
図１は、この実施の形態に係る電線補修用カバー１を示す正面図である。この電線補修用カバー１は、間接活線工具などで電線の補修部に取り付けられる電気絶縁性のカバーであり、略円筒状のカバー本体２に複数の配置溝５と挟持部６とを備えている。ここで、補修部には、電線同士を接続するスリーブや、絶縁電線の被覆を剥ぎ取った箇所などが含まれる。また、間接活線工具とは、通電状態のままで作業を行う間接活線工法で用いられる工具、つまり、電線補修用カバー１や電線、電気機器などに作業者が直接接することなく作業を行うための工具であり、長い共用操作棒の共用連結部・先端部に各種の先端工具（ヤットコなど）を取り付けることで、各種動作、操作が行えるものである。
【００１８】
カバー本体２は、図２に示すように、軸線に沿ったヒンジ２１を介して開閉自在・回動自在な第１のカバー３と第２のカバー４とで構成されている。このカバー３、４は、図３に示すように、ともに断面が略半円弧状で、閉じた状態でカバー本体２全体が略円筒形になるように形成されている。また、第１のカバー３と第２のカバー４とを閉じて電線の補修部を覆う（挟む）ように、カバー本体２の内径・内形状が設定されている。
【００１９】
第１のカバー３の開口側（反ヒンジ２１側）の端縁、つまり開口端縁３ａには、図１、図２に示すように、角穴状の係合孔３１が複数（この実施の形態では、中央部と両端部の３つ）形成されている。この係合孔３１の開口端縁３ａ側には、図３に示すように、断面形状が略矩形の被係合部３１１が設けられている。すなわち、角穴状の係合孔３１の開口端縁３ａ側の周縁（残部）が被係合部３１１となっている。
【００２０】
第２のカバー４の開口側（反ヒンジ２１側）の端縁、つまり開口端縁４ａには、係合片４１が各係合孔３１に対向して複数形成されている。この係合片４１は、基端部が略長方形で先端部が略台形の爪で、先端部にはカバー本体２の外周側に突出する係合部４１１が形成されている。そして、第１のカバー３と第２のカバー４とを閉じて、係合片４１を係合孔３１に挿入して押し込むことで、係合部４１１が被係合部３１１に係合して、カバー３、４が開かないようになっている。
【００２１】
また、第１のカバー本体３の開口端縁３ａ側には、係合孔３１よりも内側（第１のカバー本体３の中心側）に、開口端縁３ａに沿って延びるヒダ状の第１のリブ３２が形成されている。一方、第２のカバー４の係合片４１よりも内側（第２のカバー４の中心側）には、開口端縁４ａに沿って延びるヒダ状の第２のリブ４２が形成されている。そして、カバー本体３、４を閉じて係合部４１１を被係合部３１１に係合した状態で、第２のリブ４２が第１のリブ３２よりも内側に位置して、係合片４１と第２のリブ４２とで第１のリブ３２を挟むように、リブ３２、４２が形成、配設されている。
【００２２】
また、第１のカバー３と第２のカバー４の内面には、図２に示すように、電線の補修部と接合するための粘着剤２２や気密・封止するシール材２３が、所定の箇所に複数箇所配設されている。さらに、第２のカバー４の開口端縁４ａには、間接活線工具で把持される平板状の把持部２４が形成されている。
【００２３】
配置溝５は、カバー本体２の外周面に設けられ、凹状で全周にわたって延び、図５に示す結束バンド１００を配置可能な溝である。すなわち、図１に示すように、カバー本体２の外周面から窪んだ溝で、図４に示すように、カバー本体２の周方向に沿ってリング状に延びている。また、配置溝５の深さは、結束バンド１００のバンド部１０１の厚みよりもやや大きく設定され、配置溝５の幅は、結束バンド１００のバンド部１０１の幅よりもやや大きく設定され、配置溝５内にバンド部１０１を嵌め合わせるように配置できる（カバー本体２に巻き付けられる）ようになっている。
【００２４】
ここで、結束バンド１００は、インシュロック（登録商標）と同等の構成で、図５に示すように、バンド部１０１の基端部にヘッド部１０２が設けられている。バンド部１０１の表面には波状の凹凸が連続的に形成され、ヘッド部１０２には係止部が設けられている。そして、バンド部１０１を対象物に巻いて先端部をヘッド部１０２に挿入して締め付けることで、バンド部１０１の凹凸にヘッド部１０２の係止部が係止して、バンド部１０１がヘッド部１０２から抜けなくなるものである。
【００２５】
挟持部６は、カバー本体２に設けられ、結束バンド１００をカバー本体２の周方向に移動自在に配置溝５とで挟持するものである。すなわち、図１に示すように、第１のカバー３の外周面に配置溝５をまたぐように設けられ、カバー本体２の軸心と垂直な断面形状が、図４に示すように、円弧状の小片である。この挟持部６と配置溝５との間の挿入空間Ｓに結束バンド１００のバンド部１０１を挿入することで、挟持部６と配置溝５とでバンド部１０１を挟持した状態となる。また、この挟持状態でバンド部１０１が配置溝５に沿って移動（出し入れ）できるように、つまり、挟持部６と配置溝５でバンド部１０１を押圧しないように、挟持部６が設けられている。
【００２６】
このような配置溝５と挟持部６とが、カバー本体２の係合孔３１（係合片４１）間に２対設けられている。
【００２７】
次に、このような構成の電線補修用カバー１の取付方法などについて説明する。
【００２８】
まず、カバー本体２を開いた状態で把持部２４を間接活線工具で把持して、電線の補修部にカバー本体２内を位置させて、粘着剤２２で補修部に仮接続する。次に、電線の補修部を挟んだ状態で第１のカバー３と第２のカバー４とを閉じ、各係合片４１を係合孔３１に挿入して押し込み、各係合部４１１を被係合部３１１に係合させる。
【００２９】
続いて、２つの結束バンド１００をカバー本体２に取り付ける。すなわち、図４に示すように、挟持部６と配置溝５との間に結束バンド１００のバンド部１０１を挿入し（挟持部６と配置溝５とでバンド部１０１を挟持して仮保持し）、バンド部１０１を配置溝５に沿わせて（嵌め合わせて）カバー本体２に巻き付ける。そして、バンド部１０１の先端部をヘッド部１０２に挿入して引っ張ることで、バンド部１０１を締め付けるものである。
【００３０】
以上のように、この電線補修用カバー１によれば、各係合片４１を係合孔３１に係合させるだけではなく、結束バンド１００を締め付けてカバー本体２を閉じるため、カバー本体２の口開きを確実に防止することが可能となる。すなわち、係合片４１が係合孔３１に適正に係合しなかったり、一部の係合片４１のみが係合孔３１に係合したりした場合であっても、結束バンド１００を締め付けるため、カバー本体２の口開きを確実に防止することが可能となる。しかも、結束バンド１００のバンド部１０１が配置溝５内に嵌った状態で巻き付けられるため、結束バンド１００のずれが防止されてより確実に締め付けられ、口開きをより確実に防止することが可能となる。
【００３１】
そして、カバー本体２の口開きを確実に防止可能な結果、カバー本体２（電線補修用カバー１）の脱落による電線の補修部の露出を防止して、安全性、信頼性を高めることが可能となる。また、カバー本体２の脱落に起因する修繕作業を削減することができる。
【００３２】
また、結束バンド１００をカバー本体２に巻き付けて締め付ければよいため、取り扱い（取付作業）が容易で、作業者の負担を軽減して作業時間を短縮することが可能となる。しかも、バンド部１０１が挟持部６と配置溝５とで挟持されて結束バンド１００が仮保持され、かつ、この状態で結束バンド１００が移動自在なため、結束バンド１００をカバー本体２に容易に巻き付けることができ、より取り扱いが容易となる。
【００３３】
（実施の形態２）
図６は、この実施の形態に係る電線補修用カバー１０を示す正面図である。この実施の形態は、配置溝５と挟持部６に代って結束バンド部７を備える点で、実施の形態１と構成が異なり、実施の形態１と同等の構成については、同一符号を付することでその説明を省略する。
【００３４】
第１のカバー３の開口端縁３ａには、実施の形態１と同等に図６、図７に示すように、被係合部３１１が設けられた係合孔３１が複数（この実施の形態では、中央部と両端部の３つ）形成されている。
【００３５】
結束バンド部７は、第２のカバー４の開口端縁４ａに係合孔３１に対向して複数設けられている。この結束バンド部７は、係合孔３１に挿入自在な帯状で、被係合部３１１に係合する係合部７１が長手方向に沿って複数設けられたものである。すなわち、略長方形状の平板で、図８に示すように、表面の長手方向に沿って係合部７１が所定間隔で連続的に形成されている。この係合部７１は、カバー本体２の外周側に突出し、結束バンド部７の先端側に向かって斜めに細くなる略三角形状で、係合部７１と係合部７１との間が窪んだ嵌合部７２となっている。また、結束バンド部７の先端部７３には係合部７１が形成されておらず、先端部７３を係合孔３１に挿入しやすいようになっている。
【００３６】
そして、第１のカバー３と第２のカバー４とを閉じて、結束バンド部７の先端部７３を係合孔３１に挿入し、係合孔３１を貫通した先端部７３を引っ張る。これにより、係合部７１が順次被係合部３１１に係合（被係合部３１１が嵌合部７２に嵌合）しながら、結束バンド部７が締め付けられ、第１のカバー３と第２のカバー４とが完全に閉まるものである。
【００３７】
このように、この実施の形態によれば、結束バンド部７を締め付けてカバー本体２を閉じるため、実施の形態１と同様に、カバー本体２の口開きを確実に防止することが可能となり、その結果、安全性、信頼性を高めることが可能となる。しかも、結束バンド部７を係合孔３１に挿入して締め付ければよいため、取り扱い（取付作業）が容易で、作業者の負担を軽減して作業時間を短縮することが可能となる。
【００３８】
また、電線補修用カバー１０自体に結束バンド部７が設けられているため、電線補修用カバー１０とは別体の結束バンド１００を巻き付ける場合に比べて、作業がより容易となる。しかも、結束バンド部７のみを締め付ければよいため、各係合片４１を係合孔３１に係合させて結束バンド１００を締め付ける場合に比べて、作業がより容易となり、作業者の負担軽減や作業時間の短縮が可能となる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１は、小片の挟持部６を第１のカバー３に設けているが、例えば、半円弧状の挟持部６を設けて、結束バンド１００のバンド部１０１を配置溝５に巻き付けやすいようにしてもよい。
【符号の説明】
【００４０】
１、１０  電線補修用カバー
２        カバー本体
２１      ヒンジ
３        第１のカバー
３１      係合孔
３１１    被係合部
４        第２のカバー
４１      係合片
４１１    係合部
５        配置溝
６        挟持部
７        結束バンド部
７１      係合部
７２      嵌合部
１００    結束バンド
【図１】
0006561549.tif 000002
【図２】
0006561549.tif 000003
【図３】
0006561549.tif 000004
【図４】
0006561549.tif 000005
【図５】
0006561549.tif 000006
【図６】
0006561549.tif 000007
【図７】
0006561549.tif 000008
【図８】
0006561549.tif 000009